(57)【要約】【課題】人手でセルトレイに種子を播く作業で、確実にしかも短時間で、種子を播く作業の補助器具を提供することを課題とする。【解決の手段】種を落とし入れる種落し穴を種落し穴列として設け、種落し穴列に隣接して平行に、バラバラの種を複数のスジ状に置く、種仮置き溝を種落し穴列の片側又は両側に設け、種仮置き溝は、種落し穴列よりも低い位置に設け、種仮置き溝と上記種落し穴列は傾斜面でつながる構造とし、種の落下を垂直下方に案内する略筒状の種落下ガイドを設け、又、播種補助器具に設けた種落し穴及び種落し穴列に対応し、種落し穴より下方に差し込んで培養土上面に窪みを作る窪みピンを種落し穴の数だけ平面の板に設けた窪みつくり器具を播種補助器具の属具とし、播種後の種子の移動を抑制する構造とした。【選択図】図２
2016198072.tif 000002
【特許請求の範囲】
【請求項１】
培養土を入れた育苗に用いるセルトレイの間仕切りされた各区画に、人手で、略定位置に一粒の種を播く作業を補助する播種補助器具であって、
上記播種補助器具は、
略水平に保持したセルトレイの上面に配し、
セルトレイ区画配列の短手方向の縦配列又は長手方向の横配列のいずれか片方の列に対応する、種を落とし込む種落し穴を、セルトレイ区画数を等ピッチで、種落し穴列として少なくとも一列設け、
上記種落し穴列に隣接して平行に、バラバラの種を複数のスジ状に置く、種仮置き溝を上記種落し穴列の片側又は両側に設け、
上記種仮置き溝は、上記種落し穴列よりも低い位置に設け、上記種仮置き溝と上記種落し穴列は傾斜面でつながることを特徴とする播種補助器具。
【請求項２】
上記種落し穴において、種の落下を垂直下方に案内する略筒状の種落下ガイドを、上記種落し穴に繋がって垂直下方に設けることを特徴とする請求項１に記載の播種補助器具。
【請求項３】
請求項１又は２に記載の播種補助器具にあって、該播種補助器具の外周より種が落下することを防止する種子落下防止壁を設けることを特徴とする播種補助器具。
【請求項４】
請求項１、２又は３に記載の播種補助器具にあって、該播種補助器具がセルトレイに対し、定位置を維持する、ズレ防止構造を備えることを特徴とする播種補助器具。
【請求項５】
上記播種補助器具に設けた上記種落し穴及び種落し穴列に対応し、上記種落し穴より下方に差し込んで上記培養土上面に窪みを作る窪みピンを上記種落し穴の数だけ平面の板に設けた窪みつくり器具を上記播種補助器具の属具として用いる請求項１、２、３又は４に記載の播種補助器具。
【発明の詳細な説明】
【技術分野】
【０００１】
本発明は、人手でセルトレイに効率的に種をまく播種補助器具に関する。
【背景技術】
【０００２】
育苗に用いるセルトレイに播種する方法は大きく分けて、機械装置による播種、アクリル板などにセル区画の一列又は多列に対応する穴を設けて、設けた穴をガイドとして利用する方法と、直接セルトレイの枡に種を置く方法があり、後者２例は人力によるもので、今回の課題解決の対象となる作業形態である。
【０００３】
人手による播種作業は、種を入れた容器と種を投入する位置までの距離が一般的に長く、時間が掛かる作業であり、一粒の種を容器から取り出すこと、種をこぼさないこと、種を落さないこと等にも気配りが必要で、穴から目が離れることも多く、種を入れ忘れることや二度入れることもある。
【０００４】
又、穴を開けた平面に置いて利用するアクリル板等の上に種を置くと、少しの衝撃で、種が穴に落ちる恐れがあるため、確実な作業が出来ない。即ち、種を入れた容器が別に必要で、容器を片手に持つか、しかるべき位置に仮置きする必要がある。
【先行技術文献】
【特許文献】
【０００５】
【特許文献１】特開２００３−０７９２５２号公報
【特許文献２】特開平０５−１０３５１１号公報
【特許文献１】実登３１３２２４６号公報
【特許文献２】実開昭６２−０８９９５５号公報
【発明の概要】
【発明が解決しようとする課題】
【０００６】
種の仮置き位置を、種を入れる穴に可能な限り近づけることと同時に、一粒の種の拾い出しが簡単で、種の仮置き位置から種を落とし入れる穴への一粒の種の移動を滑らかに行えること。
【０００７】
又、播種補助器具の上面に種を置いて、該容器が傾いたり衝撃を受けても、種が種を落とし入れる穴や該容器の外に落ちないこと。
【０００８】
種を落とし入れる穴を大きめに作り、且つ、セル区画の略中心位置に種を落とし入れたい。
【０００９】
播種補助器具及びセルトレイが傾いたり衝撃を受けても、両者がお互いにズレ動かない。
【課題を解決するための手段】
【００１０】
種を落とし入れる種落し穴を、セルトレイ区画数を等ピッチで、種落し穴列として少なくとも一列設け、
種落し穴列に隣接して平行に、バラバラの種を複数のスジ状に置く、種仮置き溝を種落し穴列の片側又は両側に設け、
種仮置き溝は、種落し穴列よりも低い位置に設け、種仮置き溝と上記種落し穴列は傾斜面でつながる構造とした。
【００１１】
播種補助器具の外周より種が落下することを防止する種子落下防止壁を設けた。
【００１２】
種の落下を垂直下方に案内する略筒状の種落下ガイドを設けた。
【００１３】
播種補助器具に設けた種落し穴及び種落し穴列に対応し、種落し穴より下方に差し込んで培養土上面に窪みを作る窪みピンを種落し穴の数だけ平面の板に設けた窪みつくり器具を播種補助器具の属具とした。
【発明の効果】
【００１４】
上述のごとき構造としたので、一粒の種の拾い出しが容易で、種の選び出しから種落し穴までの移動距離が短く、種の移動も滑らかに行うことが出来、種の落としこみ位置の精度も、セル区画の略中心点付近を維持できる、極めて作業性に優れた播種補助器具を提供することが出来る。
【図面の簡単な説明】
【００１５】
【図１】セルトレイの上に播種補助器具を配し、該播種補助器具の一部を切り欠いた平面図。
【図２】図１の矢視Ｘ−Ｘの断面の一部を切り欠いた、断面図。
【図３】図１の矢視Ｙ−Ｙの断面の一部を切り欠いた、断面図。
【図４】図１に示したセルトレイ、播種補助器具の上に窪みつくり器具を配し、図１の矢視Ｙ−Ｙと同じ断面で一部を切り欠いた、断面図。
【発明を実施するための形態】
【００１６】
以下、図面を参照しつつ、本発明の実施の形態を説明する。
【００１７】
図１〜４に示す本発明の播種補助器具１は、セルトレイ２の全てのセル３に対応する物で、セル３の数だけ種落し穴４をセル３の略中心に対応する位置に設け、
セルトレイ２の長手方向の種落し穴４の横配列を種落し穴列４１とし、各種落し穴列４１に隣接して平行に、バラバラの種を複数のスジ状に置く、種仮置き溝５を種落し穴列４１の片側又は両側に設け、且つ、種仮置き溝５は種落し穴列４１よりも低い位置に設けて種仮置き溝５と種落し穴列４１はなだらかな傾斜面１０でつながり、播種補助器具１の外周、特に種仮置き溝５の両端部から種が落ちないように播種補助器具１の外周に外周壁１１を設け、播種補助器具１とセルトレイ２との横方向のズレを抑止するズレ止め枠６を設けた。
【００１８】
＜セルトレイ＞
最近急速に利用が進んできた育苗方法の一つで利用される規格容器のセルトレイ２は、セルトレイ自体は強度が弱く一般的に強度の高い育苗箱（アンダートレイ）に入れて利用され、セル３の数は、５×１０、６×１２，８×１６、１０×２０、１２×２４、１４×２８、１６×３２等があり、セルトレイ以外にポット苗や育苗用人工マット等も利用される。
本実施例は６×１２のセル数７２のセルトレイ２を図示した。
【００１９】
＜播種補助器具＞
（種落し穴と種落し穴列）
種落し穴４はセル数に対応して７２穴設け、種落し穴列４１は種落し穴４を１２穴直列に配して６列設けた。
【００２０】
（種落下ガイド）
種落下ガイド４２は、種落し穴４より下方に延長して、略培養土８の上面近くまでの間に設けるもので、種子９が横方向に飛び散って、セル３の中心を外れることを防止する役目をなし、下方向に直径が小さくなる構造でも良い。
【００２１】
（種仮置き溝）
種仮置き溝５は、溝状の断面のため、種子９が溝と直角方向に転がることを抑制し、種を平面的にスジ上に仮置きできるので、一粒の種子９を拾い出しやすい。
【００２２】
（種仮置き溝と種落し穴列間の傾斜面）
種仮置き溝５と種落し穴列４１との間は、なだらかな傾斜面１０で繋がっているため、拾い出した一粒の種子９を、ピンセットや耳かきの先端のようなもので、種落し穴４まで最短距離を確実に運び、落とし込むことが出来る構造である。
【００２３】
（外周壁）
播種補助器具１の外周壁１１は、種仮置き溝５及び傾斜面１０の両端部及び種落し穴列の上面の両端部より種子９が該容器１より落下することを防止すると共に強度を上げる役目をなす。
【００２４】
（ズレ止め枠）
ズレ止め枠６は、播種補助器具１とセルトレイ２との水平方向のズレを抑止する役目を持ち、播種補助器具１の下面から下方に突起を設け、該突起がセル上部縁３２を挟む構造で備えても良い。
【００２５】
＜窪みつくり器具＞
図４に示す窪みつくり器具７は、窪みピン植え付け台７２に窪みピン７１を種落とし穴４及び種落とし穴列４１に対応して設け、
セルトレイ２に播種補助器具１を配備し、その上から窪みつくり器具７を窪みピン７１が種落し穴４１にガイドされて配し、窪みピン７１の先端が培養土８の表面に凹みを作り、播種後、セルトレイ２は頻繁に移動させるが、その移動中に種子９が移動しないために凹みを設ける。
窪みピン７１は、培養土上面の深さや覆土の厚みの違いに対応して、長さの異なる物と交換可能な構造にすると良い。
【００２６】
＜発明商品の利点＞
上述の構造と、同構造に伴う特性により、セルトレイ２への播種作業が正確迅速に行える播種補助器具１を提供することが出来る。
【００２７】
〔その他の実施形態〕
本発明は上記実施形態に限定されるものではない。
【産業上の利用可能性】
【００２８】
従来の簡便な播種補助器具又は該器具を使わない播種方法では、作業の確実性が低く、作業速度も遅いので、一般に小中規模の生産者が行っていた方法であるが、本発明は作業の確実性と作業速度の大幅な向上が図れるので、大規模生産者の自家使用の育苗にも利用価値が高く、機械式播種方法に比べても、機械の導入コスト、保管場所、作業場所の制約、故障等々の観点からも、利用価値は高い。
【符号の説明】
【００２９】
１      播種補助器具
１１    播種補助器具の外周壁
２      セルトレイ
３      セル
３１    セルの排水穴
３２    セルの上部縁
４      種の落とし穴
４１    種の落とし穴列
４２    種落下ガイド
５      種仮置き溝
６      ズレ止め枠
７      窪みつくり器具
７１    窪みピン
７２    窪みピン植え付け台
８      培養土
９      種子
【図１】
2016198072.tif 000003
【図２】
2016198072.tif 000004
【図３】
2016198072.tif 000005
【図４】
2016198072.tif 000006